(57)【要約】      （修正有）【課題】鉛筆やボールペン等の筆記具に限らず携帯電話に取り付け可能な玩具を提供し、また、置物人形としても使用することのできる多目的用途を有する玩具を提供する。【解決手段】適度の柔軟性と弾性を有する材質からなる玩具本体１は頭部２と胴部３および底板４とからなり、下部に開口部５を有し中空状の頭部２と、上下に開口部、６、７を有し、上部開口部６には上方へ拡開する連結部８を有する筒状体とした胴部３とは着脱可能とするとともに切込み線９を形成して保持片１１を有する底板４と胴部３とは一体に連設したものである。切込み線９から玩具本体１内に棒状体や金属球を挿通可能であり、棒状体としては鉛筆やボールペン等の筆記具１０の他に携帯電話のアンテナが使用可能である。【選択図】図３
0003110673.tif 000002
【実用新案登録請求の範囲】
【請求項１】
適度の柔軟性と弾性を有する材質からなる玩具本体１は頭部２と胴部３および底板４とからなり、下部に開口部５を有し中空状の頭部２と、上下に開口部、６、７を有し、上部開口部６には上方へ拡開する連結部８を有する筒状体とした胴部３とは着脱可能とするとともに切込み線９を形成して保持片１１を有する底板４と胴部３とは一体に連設し、切込み線９から玩具本体１内に棒状体を挿通可能としたことを特徴とする玩具。
【請求項２】
棒状体は、鉛筆やボールペン等の筆記具１０である請求項１に記載する玩具。
【請求項３】
棒状体は、携帯電話のアンテナ１３である請求項１に記載する玩具。
【請求項４】
適度の柔軟性と弾性を有する材質からなる玩具本体１は頭部２と胴部３および底板４とからなり、下部に開口部５を有し中空状の頭部２と、上下に開口部、６、７を有し、上部開口部６には上方へ拡開する連結部８を有する筒状体とした胴部３とは着脱可能とするとともに切込み線９を形成して保持片１１を有する底板４と胴部３とは一体に連設し、切込み線９から玩具本体１内に金属球１４を挿通可能としたことを特徴とする玩具。
【考案の詳細な説明】
【技術分野】
【０００１】
本考案は玩具に関し、特に、鉛筆やボールペン等の文房具、携帯電話等に取り付け可能であり、あるいはそのまま人形として飾ることのできる装飾性を有する玩具に関するものである。
【背景技術】
【０００２】
従来、鉛筆やボールペン等の筆記用文房具においては、芯先やペン先等の筆記先あるいは筆記先とは反対側にキャラクター玩具のような装飾体を取り付けて楽しむ玩具が提供されている。また、カバンや携帯電話等に取り付けるストラップ用玩具が提供されている。更には、実用新案登録第３０６４６６１号公報の図１や実用新案登録第３０６５１７１号の図３に記載される携帯電話のアンテナに取り付け可能な装飾性玩具が提供されている。
【特許文献１】実用新案登録第３０６４６６１号公報
【特許文献２】実用新案登録第３０６５１７１号公報
【考案の開示】
【考案が解決しようとする課題】
【０００３】
上記するすでに提供されている玩具や装飾体は、単に文房具や携帯電話に取り付けるだけの単体の目的しか有していない。従って、筆記具のような文房具に取り付け可能な玩具を携帯電話に取り付けることがなく、また、携帯電話に取り付ける玩具や装飾体を他に転用して使用することができず楽しみが少ないものであった。また、鉛筆やボールペンに取り付けることのできる玩具の場合、鉛筆やボールペンの太さが異なると取り付けることができないことがあった。
【０００４】
本考案は、上記する従来の玩具あるいは装飾体の問題点に鑑み、鉛筆やボールペン等の筆記具に限らず携帯電話に取り付け可能な玩具を提供するものである。また、本考案は、置物人形としても使用することのできる多目的用途を有する玩具を提供するものである。
【課題を解決するための手段】
【０００５】
本考案玩具は、適度の柔軟性と弾性を有する材質からなる玩具本体１は頭部２と胴部３および底板４とからなり、下部に開口部５を有し中空状の頭部２と、上下に開口部６、７を有し、上部開口部６には上方へ拡開する連結部８を有する筒状体とした胴部３とは着脱可能とするとともに切込み線９を形成して保持片１１を有する底板４と胴部３とは一体に連設し、切込み線９から玩具本体１内に棒状体を挿通可能とした物である。
棒状体は、鉛筆やボールペン等の筆記具１０であり、あるいは、携帯電話のアンテナ１３が使用可能である。
【０００６】
また、本考案玩具は、適度の柔軟性と弾性を有する材質からなる玩具本体１は頭部２と胴部３および底板４とからなり、下部に開口部５を有し中空状の頭部２と、上下に開口部６、７を有し、上部開口部６には上方へ拡開する連結部８を有する筒状体とした胴部３とは着脱可能とするとともに切込み線９を形成して保持片１１を有する底板４と胴部３とは一体に連設し、切込み線９から玩具本体１内に金属球１５を挿通可能としたものである。
【考案の効果】
【０００７】
本考案玩具本体１は、着脱可能な頭部２と胴部３とからなり、胴部３に連設した底板４には切込み線９により保持片１１を形成したことにより切込み線９を通して棒状の物体を胴部３から頭部２内に挿通することで保持片１１が上方に捲り上げられ、棒状物体を保持するので玩具本体１に取り付けることが可能となる。
【０００８】
棒状の物体が鉛筆やボールペンのような筆記具の場合には、楽しみながら勉強をしたり文章を書くことができる。携帯電話のアンテナに取り付けることで面白い飾りとなり、ストラップとして携帯電話やカバンに取り付けて装飾品として楽しむことが出来る。
【０００９】
また、玩具本体１内に重しとなる金属球を入れておけば、定置して人形として机やパソコンの上に飾ることが出来る。更に、頭部２を取り替えることで色々なキャラクター玩具やキャラクター人形を使用することができ楽しみや装飾性が高まるものである。
【考案を実施するための最良の形態】
【００１０】
以下、図面に従って本考案の一実施形態を詳細に説明する。
図１は本考案玩具本体１を示すものであり、ゴムあるいは合成樹脂製の玩具本体１は、頭部２と胴部３および底板４とからなっている。図２に示すように頭部２と胴部３とは分離可能であり、また、胴部３と底板４とは一体に連結してある。
【００１１】
玩具本体１は、偏平に押しつぶしても元の形に復元する適度の柔軟性と弾力性を有しており、図３に示すように内部を中空とした頭部２の下部には連結用の開口部５が形成してある。また、胴部３は上下を開口６、７した変形な筒状体であり、図２、図３に示すように、上部開口部６には上方へ拡開する連結部８が一体に連設してある。この連結部８をすぼめて開口部５から頭部２内に押し込めば、連結部８は頭部２内で拡がるので、頭部２と胴部３とは抜けることがなく連結することができる。
【００１２】
底面が平らな円板状とした底板４は、玩具本体１を立設して定置可能とするものであるが、鉛筆やボールペン、携帯電話のアンテナ等の細長い物を挿通し、保持する機能を有している。このため、図４に示すように、底板４には、胴部３の開口部７中心を基点として２本の線を交差状に配設した切込み線９が形成してある。
【００１３】
１本の切込み線９の長さは、少なくとも前記した胴部３の下部開口部７の広さ範囲内に位置している。尚、切込み線９は、図示において十字状に形成してあるが、これに限定するものではなく、三本、五本等の複数本の切込み線９を開口部７の中心を基点として均等に放射状に形成してもよい。
【００１４】
本考案玩具は上記の構成であり、例えば、鉛筆やボールペン等の筆記具１０に取り付ける場合には、図５に示すように、底板４の切込み線９を通して筆記具１０を玩具本体１内の中空部に差し込めばよい。この時、切込み線９によって形成される保持片１１が筆記具１０の周面にそい、胴部３の開口部７を通して上方に引き上げられるので、保持片１１が筆記具１０の周面に圧接して保持するので抜けることがない。
【００１５】
従って、少なくとも、胴部３の開口部７の太さだけではなく、開口部７よりも細い携帯電話アンテナ１２を玩具本体１内に挿通しても保持片１１がアンテナ周面に圧接して抜けることがないように保持する（図６参照）。このため、鉛筆やボールペン、携帯電話アンテナ等の太さに関係なく玩具本体１内に挿通し、抜けることのないように保持することができる。尚、胴部３下部の開口部７を大きくし、保持片１１が胴部３内に入りやすくしてもよい。
【００１６】
尚、図５においては筆記具１０の筆記先１３とは反対側を玩具本体１内に挿通した場合を示してあるが、これに限定するものではない。例えば、筆記先１３を玩具本体１内に入れることでキャップとして使用し、筆記先１２を保護することができる。
【００１７】
図４および図７に示すように、頭部２上端に紐１４を連結すれば、この紐１４を介して携帯電話やカバン等に取り付け可能であり、玩具本体１をストラップとして使用することができる。また、図８に示すように底板４の切込み線９を通して玩具本体１内に金属球１５を押し込めば、この金属球１５が重しとなり、机やパソコン等の上に設置することで置物人形としても利用可能である。前記のように玩具本体１は柔軟性を有するので、例えば、胴部３の上部を押しつぶすことで内部の金属球１４を外部に押し出して取り出すことができる。
【００１８】
また、頭部２と胴部３とは連結部８を介して着脱可能としてあるので、頭部２を色々なキャラクター人形に変えて胴部３に連結することができ、自分の好みの玩具やストラップ、人形として使用し、楽しむことができる。
【産業上の利用可能性】
【００１９】
本考案玩具は、鉛筆やボールペン等の筆記具、携帯電話等に取り付けて装飾性を有する玩具として利用可能であり、文房具や携帯電話の他に玩具業界で利用可能である。また、主としてゴム、合成樹脂からなり、ゴムや合成樹脂業界で使用可能である。
【図面の簡単な説明】
【００２０】
【図１】本考案玩具本体の正面図である。
【図２】本考案玩具本体を頭部と胴部に分離した状態の正面図である。
【図３】本考案玩具本体の中央縦断面図である。
【図４】本考案玩具本体を下方から見た斜視図である。
【図５】玩具本体内に筆記具を挿通した状態の断面図である。
【図６】玩具本体を携帯電話のアンテナに取り付けた状態の斜視図である。
【図７】玩具本体に紐を連結した状態の斜視図である。
【図８】玩具本体内に金属球を入れた状態の断面図である。
【符号の説明】
【００２１】
１  玩具本体
２  頭部
３  胴部
４  底板
５  開口部
６  開口部
７  開口部
８  連結部
９  切込み線
１０  筆記具
１１  保持片
１２  携帯電話アンテナ
１３  筆記先
１４  ストラップ用紐
１５  金属球
【図１】
0003110673.tif 000003
【図２】
0003110673.tif 000004
【図３】
0003110673.tif 000005
【図４】
0003110673.tif 000006
【図５】
0003110673.tif 000007
【図６】
0003110673.tif 000008
【図７】
0003110673.tif 000009
【図８】
0003110673.tif 000010